(57)【要約】【課題】本発明の目的は、分析可能になる時刻を設定可能な分析装置を提供することである。【解決手段】  分析装置１は、検体の分析を行う。この分析装置１は、前記分析装置に電力を供給する電源と、現在の時刻を求めるタイマと、分析装置の温度を測定する温度測定手段と、分析を開始する時刻である予定分析開始時刻が設定可能であり、前記電源の起動を制御する電源制御部７４とを具備している。電源制御部７４は、温度測定手段から前記電源の起動時の前記分析装置の温度を取得し、取得した温度に基づいて、分析装置の起動から分析可能になるまでの初期化時間を求め、現在の時刻に前記初期化時間を加えた時刻が、前記予定分析開始時刻以降になった際に、電源を投入する。【選択図】      図１
2005181123.tif 000002
【特許請求の範囲】
【請求項１】
検体の分析を行う分析装置であって、
前記分析装置に電力を供給する電源と、
現在の時刻を求めるタイマと、
分析装置の温度を測定する温度測定手段と、
分析を開始する時刻である予定分析開始時刻が設定可能であり、前記電源の起動を制御する電源制御部とを具備しており、
前記電源制御部は、温度測定手段から前記電源の起動時の前記分析装置の温度を取得し、取得した温度に基づいて、分析装置の起動から分析可能になるまでの初期化時間を求め、現在の時刻に前記初期化時間を加えた時刻が、前記予定分析開始時刻以降になった際に、電源を投入する分析装置。
【請求項２】
前記温度測定手段は、複数設けられている請求項１に記載の分析装置。
【請求項３】
前記分析装置は、
検体を分析するための分析ユニットと、
前記分析ユニットの温度を調整する温度調節部と
を有しており、
少なくとも１つの前記温度測定手段は、前記温度調節部に設けられている請求項１又は２に記載の分析装置。
【請求項４】
前記電源制御部は、前記初期化時間が前記分析装置の温度に相関して記録されている初期化時間テーブルを有しており、この初期化時間テーブルを参照して前記初期化時間を算出する請求項１項に記載の分析装置。
【請求項５】
前記電源制御部は、前記分析装置の温度と初期化時間との相関を示す関数に基づいて、前記初期化時間を算出する請求項１に記載の分析装置。
【請求項６】
検体の分析を行う分析装置であって、
前記分析装置に電力を供給する電源と、
現在の時刻を求めるタイマと、
分析装置の温度を測定する温度測定手段と、
分析を開始する時刻である予定分析開始時刻が設定可能であり、前記電源の起動を制御する電源制御部とを具備しており、
前記電源制御部は、温度測定手段から前記電源の起動時の前記分析装置の温度を取得し、取得した温度に基づいて、分析装置の起動から分析可能になるまでの初期化時間を求め、前記予定分析開始時刻から前記初期化時間を減算した時刻に、電源を投入する分析装置。
【発明の詳細な説明】
【技術分野】
【０００１】
本発明は、試料の分析を行う分析ユニットを備えている分析装置に関している。
【背景技術】
【０００２】
近年、臨床診断や研究のために、血液や尿などの試料（検体）の分析が行われている。この分析を行う分析装置は、前記検体を分析する分析ユニットを有している。前記分析ユニットは、反応容器中に入れられた検体を分析する。さらに、前記分析装置は、恒温装置、加熱装置、及び測定用光源等を有している。前記恒温装置は、前記分析ユニットを一定温度に保つ。前記加熱装置は、前記検体、試薬を希釈する希釈水、並びに洗浄液を加熱する。
【０００３】
前記分析装置において、前記分析ユニットの測定結果を安定させるために、分析前に前記恒温装置及び加熱装置を所定温度に安定させる必要がある。また、前記測定用光源も、光量を安定させるために、所定温度に安定させる必要がある。これらを安定させることにより、前記分析装置は、分析可能な状態になる。なお、本明細書中において、前記分析装置が、電源の投入（起動）から分析可能な状態になるまでの時間を初期化時間とする。
【０００４】
前記分析装置は、使用する際に、電源投入後、前記初期化時間の間、使用者を待たせるため煩雑である。この待ち時間を省略することを意図した分析装置が、例えば、特許文献１に記載されている。
【０００５】
特許文献１の分析装置は、時計回路と、電源と、電源の起動を制御する電源起動回路と、を有している。時計回路は、電源を投入する電源起動時刻が設定され得る。また、時計回路は、前記電源起動時刻になった際に、前記電源起動回路に対して、電源起動命令を出す。電源起動回路は、前記電源起動命令を受けた際に、前記電源を起動するように、前記電源を制御する。
【０００６】
このような分析装置は、前記電源起動時刻になった際に、自動的に電源を起動させ得る。従って、分析装置は、使用開始前の所望の電源起動時刻に、自動的に電源を投入し、前記初期化時間中の使用者の待ち時間を減少させ得る。
【特許文献１】特許第２６２８８７１号公報（第２−３頁、  図２）
【発明の開示】
【発明が解決しようとする課題】
【０００７】
特許文献１の分析装置は、電源起動時刻を設定するものであり、前記分析装置が分析可能になる時刻を設定するものではない。従って、使用者は、前記分析装置が分析可能になる正確な時刻を知ることが出来ない。このため、前記公報の分析装置を使用する場合、使用者は、電源起動時刻後の任意の時間経過後に、分析装置に向かう。言い換えると、使用者が分析装置に向かう時刻は、使用者の裁量によってしまう。このため、使用者は、前記分析装置が、分析可能状態になると同時に、分析装置に向かうことは困難である。
【０００８】
例えば、使用者は、電源起動時刻のすぐ後に分析装置に向かった場合、分析装置が分析可能状態になっておらず、待たされてしまう場合がある。また、電源起動時刻から大幅に遅れて分析装置に向かった場合、前記分析装置がすでに分析可能になっている。即ち、分析装置が分析可能状態で放置されてしまい、電力は、無駄に消費されてしまう。
【０００９】
本発明の目的は、前記課題を鑑みて、分析可能になる時刻を設定可能な分析装置を提供することである。
【課題を解決するための手段】
【００１０】
前記課題を鑑みて、本発明の分析装置は、以下の構成を有している。
【００１１】
本発明の一態様の分析装置は、検体の分析を行う分析装置であって、前記分析装置に電力を供給する電源と、現在の時刻を求めるタイマと、分析装置内の温度を測定する温度測定手段と、分析を開始する時刻である予定分析開始時刻が設定可能であり、前記電源の起動を制御する電源制御部とを具備している。前記電源制御部は、温度測定手段から前記電源の起動時の前記分析装置の温度を取得し、取得した温度に基づいて、分析装置の起動から分析可能になるまでの初期化時間を求め、現在の時刻に前記初期化時間を加えた時刻が、前記予定分析開始時刻以降になった際に、電源を投入する。
【００１２】
本発明の他の態様の分析装置は、検体の分析を行う分析装置であって、前記分析装置に電力を供給する電源と、現在の時刻を求めるタイマと、分析装置の温度を測定する温度測定手段と、分析を開始する時刻である予定分析開始時刻が設定可能であり、前記電源の起動を制御する電源制御部とを具備している。前記電源制御部は、温度測定手段から前記電源の起動時の前記分析装置の温度を取得し、取得した温度に基づいて、分析装置の起動から分析可能になるまでの初期化時間を求め、前記予定分析開始時刻から前記初期化時間を減算した時刻に、電源を投入する。
【発明の効果】
【００１３】
本発明は、分析可能になる時刻を設定可能な分析装置を提供し得る。
【発明を実施するための最良の形態】
【００１４】
以下、図面を参照しながら本発明の実施の形態について説明する。
【００１５】
まず、本発明の１つの実施の形態について図１乃至図３を用いて説明する。図１は、本実施の形態の分析装置を示す概略図である。
【００１６】
図１中に示すように、本実施の形態の分析装置１は、検体を分析するための分析ユニット２０と、分析ユニット２０の温度を調整するための恒温槽３０と、分析装置１の各機構を駆動させる駆動部４０と、分析装置の内外の温度を測定する温度測定部５０と、分析装置１の各部位に電源を供給する電源部６０と、これらを制御する制御部７０とを具備している。
【００１７】
分析ユニット２０は、分析対象である検体が入れられる反応容器２１と、反応容器２１中の検体を測定するための測定用光源２３と、測定用光源２３からの光束を受光する受光部２４とを有している。
【００１８】
測定用光源２３は、反応容器２１に向けて光束を照射し、反応容器２１を通過した光束を受光部２４が受光する。受光部２４は、受光結果を制御部７０に送る。制御部７０は、前記受光結果を基に反応容器２１中の検体の成分を分析する。
【００１９】
さらに、分析ユニット２０は、図示しないが、試料分注器、試薬分注器、及び攪拌装置を有している。前記試料分注器は、反応容器２１に検体を分注する。前記試薬分注器は、反応容器２１に試薬を分注する。前記撹拌装置は、反応容器２１中の検体並びに試薬を攪拌する。
【００２０】
恒温槽３０は、内部に恒温液を収容しており、分析ユニット２０の温度を調節するための温度調節部である。この恒温槽３０は、前記恒温液の温度を調節するための温度調整手段としてヒータ３１を有している。恒温槽３０は、前記ヒータ３１の熱を所定温度に保つとともに、前記熱を前記恒温液を介して前記分析ユニット２０に伝える。この結果、恒温槽３０は、反応容器２１を介して、反応容器２１中の検体の温度を所定温度に維持する。
【００２１】
駆動部４０は、反応容器２１への検体の分注、及び、反応容器２１の洗浄並びに交換等の際に動作する機構（図示せず）を駆動させる駆動手段である。この駆動部４０は、制御部７０と接続されており、制御部７０により駆動を制御される。
【００２２】
温度測定部５０は、分析装置１内の温度を測定する。この温度測定部５０は、温度測定手段として、装置内温度測定部５１と、恒温槽温度測定部５２とを有している。装置内温度測定部５１は、分析装置１内に配置されており、装置内の温度（装置内温度）を測定する。恒温槽温度測定部５２は、恒温槽３０中に配置され、恒温液の温度（恒温槽温度）を測定する。温度測定部５０は、制御部７０に接続されており、測定結果を制御部７０に送る。
【００２３】
電源部６０は、分析ユニット２０、恒温槽３０、駆動部４０、及び制御部７０に接続されており、これらに電力を供給する。より具体的には、電源部６０は、分析用電源６１と、電源制御部用電源６２と、を有している。
【００２４】
分析用電源６１は、分析ユニット２０、恒温槽３０、駆動部４０に対して電力を提供する。また、分析用電源６１は、制御部７０の後述する分析用制御部７１、並びに恒温槽制御部７２にも電力を供給する。また、分析用電源６１は、制御部７０の後述する電源制御部７４と接続されており、電源制御部７４により駆動が制御される。
【００２５】
電源制御部用電源６２は、制御部７０の後述する電源制御部７４と接続されており、電源制御部７４に対して電力を供給する。電源制御部用電源６２もまた、電源制御部７４により駆動が制御される。
【００２６】
制御部７０は、分析ユニット２０、恒温槽３０、駆動部４０、温度測定部５０，及び電源部６０の動作を制御する。具体的には、制御部７０は、分析用制御部７１と、恒温槽制御部７２と、入出力部７３と、電源制御部７４とを有している。
【００２７】
分析用制御部７１は、駆動部４０と、分析ユニット２０の測定手段（測定用光源２３並びに受光部２４）の駆動を制御する。なお、分析用制御部７１は、前記測定手段による測定結果を取得し、入出力部７３により前記測定結果を出力する。
【００２８】
恒温槽制御部７２は、恒温槽温度測定部５２による測定結果に基づいて、恒温槽３０を所望の温度（例えば３７度）に安定するように、ヒータ３１を制御する。
【００２９】
入出力部７３は、使用者が希望する予定分析開始時刻の入力、及び分析結果の出力を行う入出力手段である。なお、この入出力部７３は、検査条件、及び検査命令などの入力や、装置の状態などの出力も行い得る。
【００３０】
電源制御部７４は、電源部６０の電源の投入並びに切断を制御する制御手段である。以下に、図２を参照してこの電源制御部７４を詳しく説明する。この電源制御部７４は、増幅器７４ａと、制御ユニット７４ｂとを有している。
【００３１】
増幅器７４ａは、装置内温度測定部５１並びに恒温槽温度測定部５２と接続されており、これらから出力された測定結果（温度情報）の信号を増幅するとともに制御ユニット７４ｂに送る信号増幅手段である。
【００３２】
制御ユニット７４ｂは、増幅器７４ａからの温度情報に基づいて、電源部６０を制御する。本実施の形態において、制御ユニット７４ｂは、ワンチップマイコンにより構成されている。この制御ユニット７４ｂは、タイマ７５ａと、Ｉ／Ｏポート７５ｂと、Ａ／Ｄコンバータ７５ｃと、ＲＡＭ７５ｅと、ＲＯＭ７５ｆと、ＣＰＵ７５ｇとを有している。
【００３３】
タイマ７５ａと、Ｉ／Ｏポート７５ｂと、Ａ／Ｄコンバータ７５ｃと、ＲＡＭ７５ｅと、ＲＯＭ７５ｆとは、ＣＰＵ７５ｇに接続されている。
【００３４】
タイマ７５ａは、時刻を計測し、現在時刻データをＣＰＵ７５ｇに送る。  
Ｉ／Ｏポート７５ｂは、入出力部７３と接続されており、入出力部７３と制御ユニット７４ｂとの情報の入出力を行うためのポートである。
【００３５】
Ａ／Ｄコンバータ７５ｃは、増幅器７５ｈと接続されている。このＡ／Ｄコンバータ７５ｃは、増幅器７５ｈからの温度情報をデジタル信号に変換し、ＣＰＵ７５ｇに送る。
【００３６】
ＲＡＭ７５ｅは、ＣＰＵ７５ｇからのデータ、並びに入出力部７３から入力されたデータを記憶する。  
ＲＯＭ７５ｆは、後で説明する初期化時間テーブルを格納している。  
ＣＰＵ７５ｇは、上述の接続されている機器の動作を制御する。また、ＣＰＵ７５ｇは、前記温度情報及び予定分析開始時刻を基に、前記ＲＯＭ中の初期化時間テーブルを参照して、初期化時間を求める初期化時間算出部である。
【００３７】
以下で前述の初期化時間テーブルについて説明する。  
一般的に分析装置において、装置内の各部位の温度と、測定用光源２３の光量とを安定させる（分析装置を分析可能にする）ためには、従来の技術で説明したように、電源入力後に所定の時間（初期化時間）を必要とする。この初期化時間は、分析装置１の温度に相関して変化する。例えば、前記各部位を所定温度に暖める場合、電源切断から長時間経過した後では、分析装置は冷えてしまっているため、前記初期化時間は、長時間になる。なお、本実施の形態において、分析装置１の温度を測定するために、装置内温度測定部５１と恒温槽温度測定部５２とにより、装置内温度並びに恒温槽温度を取得する。
【００３８】
初期化時間テーブルは、図３中に示されるように、分析装置１内の温度及び恒温槽３０の温度に相関した初期化時間が記録されている。この初期化時間テーブルに示されるように、初期化時間は、装置内温度並びに恒温槽温度が低い場合長く、高い場合短く設定される。例えば、恒温槽温度が２０度であり、装置内温度が１６度の場合、初期化時間は６０分に設定され、恒温槽温度が３７度であり、装置内温度が２０度の場合、初期化時間は５分に設定される。なお、この初期化時間は、環境温度、ヒータ３１、測定用光源２３の性能、並びに装置の大きさなどの装置構成により変化する。このため、初期化時間テーブルは、分析装置の構成や設置場所などにあわせて作成される。
【００３９】
以下に、前記構成の分析装置の動作について説明する。
【００４０】
本実施の形態の分析装置において、検体を分析する場合、以下のようにして行われる。まず、使用者は、入出力部７３により、分析開始命令を入力する。入力された分析開始命令は、制御部７０に送られる。分析開始命令を受けた制御部７０は、分析用制御部７１により、分析ユニット２０を制御し、検体の測定を行う。この測定を以下で具体的に説明する。
【００４１】
この測定において、分析用制御部７１は、分析開始命令を受けた後、駆動部４０を介して前記試料分注器、前記試薬分注器、及び前記攪拌装置を制御し、反応容器２１中に、検体並びに試薬を分注し、これら混合溶液を攪拌する。このようにして作成された混合溶液は、恒温槽制御部７２の制御により所定温度に安定維持された恒温槽によって、所定温度に保たれる。
【００４２】
続いて、分析用制御部７１は、測定用光源２３に駆動命令を出力する。駆動命令を受けた際に測定用光源２３は、反応容器２１に向けて測定光を照射する。受光部２４は、反応容器２１を透過した前記測定光を受光する。受光部２４は、受光結果を制御部７０に送り、制御部７０は、受光結果に基づいて、検体の成分分析を行い、入出力部７３により、分析結果を出力する。このようにして、分析ユニット２０は、検体の分析を完了する。
【００４３】
以下に、分析ユニット２０の分析時間予約について説明する。この分析時間予約とは、使用者が設定した時刻に分析ユニット２０が分析可能な状態になるように分析ユニット２０を設定することである。
【００４４】
この分析時間予約を行う際には、以下の複数の工程が行われる。この分析時間予約では、まず、分析開始時刻入力工程が行われる。
【００４５】
（分析開始時刻入力工程）
この分析開始時刻入力工程では、使用者が、入出力部７３を介して前記予定分析開始時刻を制御部７０に入力する。入力された予定分析開始時刻データは、Ｉ／Ｏポート７５ｂを介してＲＡＭ７５ｅに格納される。この予定分析開始時刻の入力は、分析装置１に電源が入っている際に行われる。本実施の形態においては、この予定分析開始時刻の入力は、分析用電源６１並びに電源制御部用電源６２の両方により、分析装置１に対して電力が提供されている際に行われる。
【００４６】
（電源切断工程）
この電源切断工程は、分析装置１の電源切断処理が行われる。この電源切断工程は、分析開始時刻入力工程が完了した後に、使用者が任意のタイミングで分析装置１に対して電源切断動作を行った際に実行される。なお、分析装置１に前記予定分析開始時刻が設定されていない場合、分析装置１は、電源切断動作により、電源部６０の全電源が落とされ（ＯＦＦされ）、以下の工程を行わず停止する。なお、分析開始時刻が設定されている場合、この電源切断処理では、分析用電源６１をＯＦＦする。言い換えると、電源制御部７４のみが常時稼働可能なように、電源制御部用電源６２のみＯＮにしておく。そして、続いて、起動工程が行われる。
【００４７】
（起動工程）
この起動工程では、分析装置１を分析可能な状態にするために必要な電源を投入（ＯＮ）するタイミングの判断、並びに電源の投入を行う。この起動工程は、電源切断工程後に所定周期で行われる。本実施の形態では、起動工程は、分析用電源６１の電源の切断後、１分間隔で周期的に実行される。
【００４８】
この起動工程が実行された際に、まず、ＣＰＵ７５ｇは、装置内温度測定部５１並びに恒温槽温度測定部５２から、装置内温度並びに恒温槽温度を取得する。そして、ＣＰＵ７５ｇは、初期化時間テーブルを参照し、取得した装置内温度並びに恒温槽温度に対する初期化時間を求める。
【００４９】
続いて、ＣＰＵ７５ｇは、タイマ７５ａから現在の時刻を取得するとともに、ＲＡＭ７５ｅから予定分析開始時刻を取得する。ＣＰＵ７５ｇは、現在の時刻に初期化時間を足した時刻（加算後時刻）が、予定分析開始時刻以降であるかを判断する。
【００５０】
前記加算後時刻が予定分析開始時刻より前である場合、分析装置１の全電源を入れてしまうと、予定分析開始時刻前に、分析装置１が分析可能になってしまう。この場合、起動工程を終了し、再び、所定時間後に起動工程を最初から実行する。本実施の形態においては、上述のように１分後に再び起動工程が行われる。
【００５１】
前記加算後時刻が予定分析開始時刻以降である場合、ＣＰＵ７５ｇは、Ｉ／Ｏポート７５ｂを介して、電源部６０の切断されている全ての電源（本実施の形態においては分析用電源６１）に電源投入命令を出力する。この電源供給命令により、電源部６０は、全電源を投入する。この電源投入とともに、制御部７０は、分析装置１の初期化動作を行う。本実施の形態の初期化動作では、分析用制御部７１の命令により、測定用光源２３が点灯され、恒温槽制御部７２の命令により、ヒータ３１が、加熱を開始し、恒温槽の温度を所定温度になるように調整を開始する。このようにして、分析装置１は、この初期化動作を開始してから前記初期化時間後に分析可能な状態になる。
【００５２】
以下に、より具体的に起動工程について説明する。この説明において、予定分析開始時刻が午後８時に設定されているものとする。
【００５３】
この起動工程が、午後７時２４分に実行された際に、ＣＰＵ７５ｇは、装置内温度並びに恒温槽温度を取得する。本例において、装置内温度が２０度、恒温槽温度が２２度とする。また、本例において、ＣＰＵ７５ｇは、図３中の初期化時間テーブルにより初期化時間を求める。従って、初期化時間は３５分となる。
【００５４】
続いて、ＣＰＵ７５ｇは、前記加算後時刻を求める。上述のように、起動工程の実行時の時刻が、午後７時２４分で、初期化時間が３５分である。従って、加算後時刻は、７時５９分である。
【００５５】
続いて、ＣＰＵ７５ｇは、加算後時刻と予定分析開始時刻とを比較する。この比較により、加算後時刻が、予定分析開始時刻前だということが分かる。このため、ＣＰＵ７５ｇは、電源投入命令を出力せず、起動工程を終了する。
【００５６】
起動工程は、前述のように周期的に行われるため、起動工程のを終了した１分後、再び実行される。再び実行された起動工程においても、前記と同様に、ＣＰＵ７５ｇは、装置内温度並びに恒温槽温度を取得する。ここでも取得した装置内温度が２０度、恒温槽温度が２２度とする。このため、初期化時間は、３５分となる。なお、この再び実行された起動工程は、起動開始が午後７時２５分である。従って、加算後時刻が、午後８時になる。このため、ＣＰＵ７５ｇは、加算後時刻が予定分析開始時刻以降であるため、電源投入命令を出力し、全ての電源を投入させるとともに、初期化動作を開始させる。このように、本実施の形態の分析装置１は、所望の予定起動開始時間に、分析可能にされ得る。
【００５７】
本実施の形態の分析装置１は、上述のように取得した温度情報に基づいて算出した加算時刻が予定分析開始時刻以降になった際に電源を、自動的に投入する。従って、分析装置１は、確実に、設定された前記予定分析開始時刻に電源を投入し得る。従って、使用者は、確実に分析装置が分析可能になる時刻を知ることが出来、待ち時間を無くすことが出来とともに、無駄な電力消費を防止し得る。
【００５８】
なお、本実施の形態の起動工程において、加算後時刻と、予定分析開始時刻とを比較することにより、電源投入命令の出力タイミングを判断しているが、予定分析開始時刻から初期化時間を減じた時刻が、現在の時刻である場合に、電源を投入するように制御することも可能である。
【００５９】
また、本実施の形態において、温度測定部５０は、温度測定手段として、装置内温度測定部５１と、恒温槽温度測定部５２とを有している。このため、初期化時間を、複数の温度情報に基づき算出し得る。従って、本実施の形態の分析装置１は、１つの温度情報で求める場合に比べて、より正確に初期化時間を求め得る。なお、分析装置１は、温度測定部５０を１つの温度測定手段で構成することも可能である。また、分析装置１は、温度測定部５０を３つ以上の温度測定手段により構成し、３つ以上の温度情報を取得することも可能である。この場合、初期化時間テーブルは、取得した３つ以上の温度情報から１つの初期化時間が求まるように変更される。
【００６０】
また、本実施の形態において、温度測定部５０は、温度調節部である恒温槽３０の温度を測定し得るように、恒温槽温度測定部５２を有している。これにより、本実施の形態の分析装置１は、初期化に時間の掛かる恒温槽３０の温度を取得し得るため、この温度情報を基により正確に前記初期化時間を求め得る。
【００６１】
また、電源制御部７４は、前記初期化時間テーブルに基づいて、初期化時間を求める。このため、本実施の形態の分析装置１は、前記初期化時間テーブルを参照することにより、より迅速に初期化時間を求め得る。なお、電源制御部７４は、初期化時間テーブルの代わりに、前記分析装置の温度と初期化時間との相関を示す関数に基づいて、前記初期化時間を算出するように構成することも可能である。この場合、分析装置１は、リニアに分析装置の温度に基づいて初期化時間を算出し得る。
【００６２】
また、本実施の形態において、初期化時間テーブルは、ＲＯＭ７５ｆ中に格納されているが、ハードディスクやフラッシュメモリーなど他の公知の記録媒体に格納することも可能である。なお、ＲＡＭ７５ｅも同様に、他の記録媒体に代えることも可能である。また、分析装置１は、ＲＯＭ７５ｆ並びにＲＡＭ７５ｅを、１つの記録媒体に代え、この単一の記録媒体に全ての情報を格納するように構成され得る。
【００６３】
また、本実施の形態の電源制御部７４は、電源制御部用電源６２から常時電力が供給されるように、構成されているが、分析時間予約に、バッテリーなどのバックアップ用電源から電源が供給されるように構成し、電源部６０の全ての電源を落とすように構成することも可能である。これにより、本実施の形態の分析装置１は、より消費電力を抑え得る。
【００６４】
また、本実施の形態において、予定分析開始時刻は、１つのみ設定されているが、複数設定し得るように構成することも可能である。
【００６５】
また、電源制御部７４は、Ｉ／Ｏポート７５ｂを介して電源部６０と接続されているとともに、ＣＰＵ７５ｇから出力された電源投入命令により、電源部６０が電源投入するように構成されている。しかしながら、電源制御部を、タイマ付リレーを介して、電源部６０と接続するように構成し、タイマー付リレーのＯＮ/ＯＦＦにより電源部６０の投入並びに切断（ＯＮ/ＯＦＦ）を制御することも可能である。以下に、このタイマー付リレーを用いた本実施の形態の分析装置の変形例を説明する。
【００６６】
（変形例）
本実施の形態の変形例の電源制御部７４’は、タイマー付リレーを備えている。このタイマー付リレーは、タイマーに設定された時刻に、接点のＯＮ/ＯＦＦをするように構成されている。電源部６０は、前記接点のＯＮ/ＯＦＦに対応して、全電源のＯＮ/ＯＦＦが行われるように構成される。なお、タイマー付リレーは、電源部６０の全電源を切断した場合でも動作するように構成されている。
【００６７】
この場合の分析時間予約において、タイマー付リレーを備えた電源制御部７４’は、上述した分析時間予約に対して、電源切断工程並びに起動工程の処理が異なる。電源制御部７４’は、電源制御部７４と同様に、使用者が任意のタイミングで電源切断動作を行った際に行われる。電源制御部７４’の電源切断工程では、まず、電源制御部７４の起動工程と同様に、温度測定部５０により分析装置の温度を取得し、この温度に基づいて初期化時間を算出する。続いて、電源制御部７４’は、予定分析開始時刻から初期化時間を引いた電源投入時刻を求める。そして、この電源投入時刻をタイマー付リレーのタイマに、設定する。この設定後、電源制御部７４’は、タイマー付リレーをＯＦＦし、電源部６０の全ての電源を切断する。
【００６８】
電源制御部７４’の起動工程は、前記電源投入時刻になった際に実行される。電源投入時刻になった際に、タイマー付リレーは、接点をＯＮにする。これにより、電源部６０は、全電源が投入され、分析装置１は、前記初期化動作を開始する。これにより、分析装置１は、初期化時間後に、分析可能になる。このように、本変形例の分析装置１のように、切断時の分析装置の温度に基づいて電源投入時間を設定することも可能である。この場合、複数回温度を測定せずに、略予定分析可能時刻に分析装置を分析可能にし得る。従って、本変形例の分析装置１は、より簡単な制御で、分析可能になる時刻を設定可能である。
【００６９】
これまで、いくつかの実施の形態について図面を参照しながら具体的に説明したが、本発明は、上述した実施の形態に限定されるものではなく、その要旨を逸脱しない範囲で行なわれるすべての実施を含む。
【図面の簡単な説明】
【００７０】
【図１】図１は、本発明の一実施の形態に従った分析装置を示す概略的なブロック図である。
【図２】図２は、図１中の電源制御部を示す概略的なブロック図である。
【図３】図３は、初期化時間テーブルを示す図である。
【符号の説明】
【００７１】
１…分析装置、２０…分析ユニット、２１…反応容器、２３…測定用光源、２４…受光部、３０…恒温槽、３１…ヒータ、４０…駆動部、５０…温度測定部、５１…装置内温度測定部、５２…恒温槽温度測定部、６０…電源部、６１…分析用電源、６２…電源制御部用電源、７０…制御部、７１…分析用制御部、７２…恒温槽制御部、７３…入出力部、７４、７４’…電源制御部、７４ａ…増幅器、７４ｂ…制御ユニット、７５ａ…タイマ、７５ｂ…Ｉ／Ｏポート、７５ｃ…Ａ／Ｄコンバータ、７５ｅ…ＲＡＭ、７５ｆ…ＲＯＭ、７５ｇ…ＣＰＵ、７５ｈ…増幅器。
【図１】
2005181123.tif 000003
【図２】
2005181123.tif 000004
【図３】
2005181123.tif 000005